(57)【要約】【課題】パラペットに立設した手摺本体３の室外側に室内側から複数のガラス板１２を容易に取り付けることができ、足場の組立作業を必要とせず、施工費を安価にする。【解決手段】ベランダのパラペットＰに立設した手摺本体３の室外側にガラス取付枠１４を設け、これに倹鈍方式で複数のガラス板１２をガラス取付枠１４の上下枠５，７に嵌め入れるとともに、互いに隣合う複数のガラス板１２間にアルミ製目地枠１３が配設されて、該アルミ製目地枠１３は、ガラス板１２の側端縁１２ｄに係合し、且つ手摺本体３にビス止めされるようにして手摺本体３に取り付けられ、これによって手摺本体３の室外側長手方向略全域に連続して複数のガラス板１２がガラス取付枠１４とアルミ製目地枠１３とに囲繞されるようにして取り付けられてなる。【選択図】図２
2020105717.tif 000002
【特許請求の範囲】
【請求項１】
ベランダのパラペットＰ上にその長手方向に所定間隔おきに手摺支柱１を立設し、これら手摺支柱１の上端部に手摺笠木２を架け渡すことによって手摺本体３を形成してなる手摺の取付装置において、手摺本体３の室外側に、ガラス用上枠５とガラス用下枠７とガラス用の左右側枠１０，１１とからなるガラス取付枠１４が一体又は一体的に設けられ、ガラス用上枠５には、手摺本体３の長手方向略全域にわたってガラス上縁部嵌合溝４が連通形成され、ガラス用下枠７には、該ガラス上縁部嵌合溝４に対応するガラス下縁部嵌合溝６が連通形成され、前記左右側枠１０，１１にはガラス側縁部嵌合溝８，９が形成され、複数のガラス板１２の上下縁部１２ａ，１２ｂが前記ガラス上縁部嵌合溝４と前記ガラス下縁部嵌合溝６とに夫々嵌合され、両端部のガラス板１２の左右側縁部１２ｃ，１２ｄが前記左右側枠１０，１１のガラス側縁部嵌合溝８，９に嵌合され、互いに隣合う複数のガラス板１２間にアルミ製目地枠１３が配設されて、該アルミ製目地枠１３は、ガラス板１２の側端縁１２ｄに係合するようにして手摺本体３に取り付けられ、且つアルミ製目地枠１３の室内側側面には手摺支柱１の側壁１ａに沿うようにビス止め片１３ａが突設されて、該ビス止め片１３ａが手摺支柱１の側壁１ａにビス止めされ、これによって手摺本体３の室外側長手方向略全域に複数のガラス板１２が連続してガラス取付枠１４とアルミ製目地枠１３とに囲繞されるようにして取り付けられてなる手摺の取付装置。
【請求項２】
ベランダのパラペットＰ上にその長手方向に所定間隔おきに手摺支柱１を立設し、これら手摺支柱１の上端部に手摺笠木２を架け渡すことによって手摺本体３を形成してなる手摺の取付方法において、手摺本体３の室外側に、手摺本体３の長手方向略全域にわたってガラス上縁部嵌合溝４が連通形成されるガラス用上枠５と、手摺本体３の長手方向略全域にわたって前記ガラス上縁部嵌合溝４に対応するガラス下縁部嵌合溝６が連通形成されたガラス用下枠７と、上下枠５、７間に、ガラス側縁部嵌合溝８，９が形成されてなる左右側枠１０，１１とからなるガラス取付枠１４が一体又は一体的に設けられ、このガラス取付枠１４に複数のガラス板１２と各ガラス板１２間に目地材を取り付けるにあたって、目地材としてアルミ製目地枠１３を用い、また手摺支柱１の室外側側面には、アルミ製目地枠１３を係止するための係止爪１５が突設され、アルミ製目地枠１３の室内側側面には、アルミ製目地枠１３を手摺本体３の長手方向の一方側から摺動させることによって前記係止爪１５に係止される被係止爪１６が突設され、
さらに、アルミ製目地枠１３の室内側側面には、アルミ製目地枠１３を手摺本体３の長手方向の一方側から摺動させることによって手摺支柱１の側壁１ａに当接するビス止め片１３ａが突設され、
しかして、まず最初のガラス板１２を室内側からその上縁部１２ａをガラス上縁部嵌合溝４に嵌合し、次にその下縁部１２ｂをガラス下縁部嵌合溝６に落し込むように嵌合する所謂倹鈍式によってガラス板１２を上下枠５，７間に嵌め込み、次にそのガラス板１２を上下縁部嵌合溝４，６に沿って一方側から摺動させて、該ガラス板１２の側縁部１２ｃをガラス取付枠１４の他方側の側枠１０のガラス側縁部嵌合溝８に嵌合し、次にアルミ製目地枠１３を上下枠５，７間を一方側から摺動させて、その被係止爪１６を係止爪１５に係止させることによってアルミ製目地枠１３を手摺支柱１に係止させ、且つアルミ製目地枠１３を手摺本体３の長手方向の一方側から摺動させることによって手摺支柱１の側壁１ａに当接するビス止め片１３ａを手摺支柱１の側壁１ａにビス止めし、これによって該目地枠１３に最初のガラス板１２の側縁部１２ｄを係合保持させ、そして次のガラス板１２を同様にして室内側から倹鈍式で上下枠５，７間に嵌め込み、これも同様に一方側から摺動させて、その被係止爪１６を係止爪１５に係止させることによってアルミ製目地枠１３を手摺支柱１に係止させ、且つアルミ製目地枠１３を手摺本体３の長手方向の一方側から摺動させることによって手摺支柱１の側壁１ａに当接するビス止め片１３ａを室内側から手摺支柱１の側壁１ａにビス止めし、これによって該ガラス板１２の側縁部１２ｃを先のアルミ製目地枠１３に係合保持させ、このようにして複数のガラス板１２とアルミ製目地枠１３を交互にガラス取付枠１４に室内側から取り付けることによって、手摺本体３の室外側長手方向略全域に複数のガラス板１２が連続して手摺本体３とアルミ製目地枠１３に囲繞されるようにして取り付けられる手摺の取付方法。
【請求項３】
ガラス取付枠１４の少なくとも一方側の側枠１１は、固定側枠部材１７と該固定側枠部材１７から一方側に後退移動するともに該固定側枠部材１７に重合するよう進入移動可能な可動側枠部材１８とからなり、該可動側枠部材１８を該固定側枠部材１７から一方側に後退移動することによってガラス側縁部嵌合溝９の室外側が開放され、この開放状態で最後のガラス板１２を同様に室内側から倹鈍式で上下枠５，７間に嵌め入れ、しかる後に該可動側枠部材１８を該固定側枠部材１７に重合するよう進入移動することによって、ガラス側縁部嵌合溝９の室外側が閉塞され、該嵌合溝９にガラス板１２の側縁部１２ｄが嵌合状態となり、この嵌合状態で可動側枠部材１８を固定側枠部材１７にビス止めするようにした請求項２に記載の手摺の取付方法。
【請求項４】
ガラス取付枠１４の少なくとも一方側の側枠１１は、固定側枠部材１７と該固定側枠部材１７に取り外し可能に取り付けられる可動側枠部材１８とからなり、該可動側枠部材１８を該固定側枠部材１７から取り外すことによってガラス側縁部嵌合溝９の室外側が開放され、この開放状態で最後のガラス板１２を同様に室内側から倹鈍式で上下枠５，７間に嵌め入れ、しかる後に該可動側枠部材１８を該固定側枠部材１７に取り付けられて、ガラス側縁部嵌合溝９の室外側が閉塞され、該嵌合溝９にガラス板１２の側縁部１２ｄが嵌合状態となり、この嵌合状態で可動側枠部材１８を固定側枠部材１７にビス止めによって取り付けるようにした請求項２に記載の手摺の取付方法。
【請求項５】
ガラス取付枠１４及びアルミ製目地枠１３には、ガラス板１２の室外側周縁部を水密保持する水密パッキン１９，２０が取り付けられる共に、ガラス板１２の室内側周縁部を水密シールするためのコーキング材２１，２２が充填ないし塗布されるようになっている請求項２〜４の何れかに記載の手摺の取付方法。
【発明の詳細な説明】
【技術分野】
【０００１】
本発明は、ベランダのパラペット（堰壁）に設置される手摺本体の室外側にガラス板を連続的に取り付けるようにした手摺の取付装置と取付方法に関するものである。
【背景技術】
【０００２】
ベランダに設置される従来の手摺の取付装置として、本件発明に最も近似する発明は、特許文献１に示すように、パラペット上に手摺支柱を所定間隔おきに立設し、これら手摺支柱間に上枠と下枠とを横架し、上下横枠間に複数のガラス板を連続して取り付け、また手摺支柱の上端部に手摺笠木を架け渡すようにしている。
【先行技術文献】
【特許文献】
【０００３】
【特許文献１】特開２０１０ー２０９５９８号公報
【発明の概要】
【発明が解決しようとする課題】
【０００４】
上記の最先の手摺の取付装置と取付方法は、その見付面にアルミ製目地枠を用いることによって、外観上の体裁を良く、風雨時においても室内を開放しておくことができ、且つ手摺本体の室内側から複数のガラス板を連続して取り付けることができるようになっているという効果を有するが、しかしこの従来技術ではアルミ製目地枠の手摺本体への取付強度が弱く、強い風雨に晒されるとその風圧によってアルミ製目地枠と手摺本体との間に不測にガタツキが発生したり、アルミ製目地枠が手摺本体の取付面から変移してアルミ製目地枠とこれに係合保持されているガラス板との係合保持状態が破壊され、ガラス板がアルミ製目地枠から外れるという危険性が多分にあった。
【０００５】
本発明は、その見付面にアルミ製目地枠を用いることによって、外観上の体裁を良く、風雨時においても室内を開放しておくことができ、且つ手摺本体の室内側から複数のガラス板を連続して取り付けることができるという効果を維持しながら、更にアルミ製目地枠の手摺本体への強力な取付強度を簡単な構造で保持することができる手摺の取付装置と取付方法を提案するものである。
【課題を解決するための手段】
【０００６】
上記課題を解決するための手段を説明すると、請求項１に係る発明にあっては、ベランダのパラペットＰ上にその長手方向に所定間隔おきに手摺支柱１を立設し、これら手摺支柱１の上端部に手摺笠木２を架け渡すことによって手摺本体３を形成してなる手摺の取付装置において、手摺本体３の室外側に、ガラス用上枠５とガラス用下枠７とガラス用の左右側枠１０，１１とからなるガラス取付枠１４が一体又は一体的に設けられ、ガラス用上枠５には、手摺本体３の長手方向略全域にわたってガラス上縁部嵌合溝４が連通形成され、ガラス用下枠７には、該ガラス上縁部嵌合溝４に対応するガラス下縁部嵌合溝６が連通形成され、前記左右側枠１０，１１にはガラス側縁部嵌合溝８，９が形成され、複数のガラス板１２の上下縁部１２ａ，１２ｂが前記ガラス上縁部嵌合溝４と前記ガラス下縁部嵌合溝６とに夫々嵌合され、両端部のガラス板１２の左右側縁部１２ｃ，１２ｄ（図１４）が前記左右側枠１０，１１のガラス側縁部嵌合溝８，９に嵌合され、互いに隣合う複数のガラス板１２間にアルミ製目地枠１３が配設されて、該アルミ製目地枠１３は、ガラス板１２の側端縁１２ｃ，１２ｄ（図１４）を係合するようにして手摺本体３に取り付けられ、且つアルミ製目地枠１３の室内側側面には手摺支柱１の側壁１ａに沿うようにビス止め片１３ａが突設されて（図１６（ａ））、該ビス止め片１３ａが手摺支柱１の側壁１ａにビス止めされ（図１６（ｂ））、これによって手摺本体３の室外側長手方向略全域に複数のガラス板１２が連続してガラス取付枠１４とアルミ製目地枠１３とに囲繞されるようにして取り付けられてなる手摺の取付装置に係る。
【０００７】
請求項２にあっては、ベランダのパラペットＰ上にその長手方向に所定間隔おきに手摺支柱１を立設し、これら手摺支柱１の上端部に手摺笠木２を架け渡すことによって手摺本体３を形成してなる手摺の取付方法において、手摺本体３の室外側に、手摺本体３の長手方向略全域にわたってガラス上縁部嵌合溝４が連通形成されるガラス用上枠５と、手摺本体３の長手方向略全域にわたって前記ガラス上縁部嵌合溝４に対応するガラス下縁部嵌合溝６が連通形成されたガラス用下枠７と、上下枠５、７間に、ガラス側縁部嵌合溝８，９が形成されてなる左右側枠１０，１１とからなるガラス取付枠１４が一体又は一体的に設けられ、このガラス取付枠１４に複数のガラス板１２と各ガラス板１２間に目地材を取り付けるにあたって、目地材としてアルミ製目地枠１３を用い、また手摺支柱１の室外側側面には、アルミ製目地枠１３を係止するための係止爪１５が突設され、アルミ製目地枠１３の室内側側面には、アルミ製目地枠１３を手摺本体３の長手方向の一方側から摺動させることによって前記係止爪１５に係止される被係止爪１６が突設され、
さらに、アルミ製目地枠１３の室内側側面には、アルミ製目地枠１３を手摺本体３の長手方向の一方側から摺動させることによって手摺支柱１の側壁１ａに当接するビス止め片１３ａが突設され（図１６の（ａ）及び（ｂ））、
しかして、まず最初のガラス板１２を室内側からその上縁部１２ａをガラス上縁部嵌合溝４に嵌合し、次にその下縁部１２ｂをガラス下縁部嵌合溝６に落し込むように嵌合する所謂倹鈍式によってガラス板１２を上下枠５，７間に嵌め込み、次にそのガラス板１２を上下縁部嵌合溝４，６に沿って一方側から摺動させて、該ガラス板１２の側縁部１２ｃをガラス取付枠１４の他方側の側枠１０のガラス側縁部嵌合溝８に嵌合し、次にアルミ製目地枠１３を上下枠５，７間を一方側から摺動させて、その被係止爪１６を係止爪１５に係止させることによってアルミ製目地枠１３を手摺支柱１に係止させ、且つアルミ製目地枠１３を手摺本体３の長手方向の一方側から摺動させることによって手摺支柱１の側壁１ａに当接するビス止め片１３ａを室内側から手摺支柱１の側壁１ａにビス止めし、これによって該目地枠１３に最初のガラス板１２の側縁部１２ｄを係合保持させ、そして次のガラス板１２を同様にして室内側から倹鈍式で上下枠５，７間に嵌め込み、これも同様に一方側から摺動させて、その被係止爪１６を係止爪１５に係止させることによってアルミ製目地枠１３を手摺支柱１に係止させ、且つアルミ製目地枠１３を手摺本体３の長手方向の一方側から摺動させることによって手摺支柱１の側壁１ａに当接するビス止め片１３ａを室内側から手摺支柱１の側壁１ａにビス止めし、これによって該ガラス板１２の側縁部１２ｃを先のアルミ製目地枠１３に係合保持させ、このようにして複数のガラス板１２とアルミ製目地枠１３を交互にガラス取付枠１４に室内側から取り付けることによって、手摺本体３の室外側長手方向略全域に複数のガラス板１２が連続して手摺本体３とアルミ製目地枠１３に囲繞されるようにして取り付けられる手摺の取付方法に係る。
【０００８】
請求項３にあっては、ガラス取付枠１４の少なくとも一方側の側枠１１は、固定側枠部材１７と該固定側枠部材１７から一方側に後退移動するともに該固定側枠部材１７に重合するよう進入移動可能な可動側枠部材１８とからなり、該可動側枠部材１８を該固定側枠部材１７から一方側に後退移動することによってガラス側縁部嵌合溝９の室外側が開放され、この開放状態で最後のガラス板１２を同様に室内側から倹鈍式で上下枠５，７間に嵌め入れ、しかる後に該可動側枠部材１８を該固定側枠部材１７に重合するよう進入移動することによって、ガラス側縁部嵌合溝９の室外側が閉塞され、該嵌合溝９にガラス板１２の側縁部１２ｄが嵌合状態となり、この嵌合状態で可動側枠部材１８を固定側枠部材１７に室内側からビス止めするようにした請求項２に記載の手摺の取付方法に係る。
【０００９】
請求項４にあっては、ガラス取付枠１４の少なくとも一方側の側枠１１は、固定側枠部材１７と該固定側枠部材１７から取り外し可能に一方側に後退移動するともに該固定側枠部材１７に重合するよう進入移動可能な可動側枠部材１８とからなる請求項３の記載の手摺の取付方法に係る。
【００１０】
請求項５にあっては、ガラス取付枠１４及びアルミ製目地枠１３には、ガラス板１２の室外側周縁部を水密保持する水密パッキン１９，２０が取り付けられる共に、ガラス板１２の室内側周縁部を水密シールするためのコーキング材２１，２２が充填ないし塗布されるようになっている請求項２〜４の何れかに記載の手摺の取付方法に係る。
【発明の効果】
【００１１】
請求項１に係る発明によれば、ベランダのパラペットＰ上にその長手方向に所定間隔おきに手摺支柱１を立設し、これら手摺支柱１の上端部に手摺笠木２を架け渡すことによって手摺本体３を形成してなる手摺の取付装置において、手摺本体３の室外側に、ガラス用上枠５とガラス用下枠７とガラス用の左右側枠１０，１１とからなるガラス取付枠１４が一体又は一体的に設けられ、ガラス用上枠５には、手摺本体３の長手方向略全域にわたってガラス上縁部嵌合溝４が連通形成され、ガラス用下枠７には、該ガラス上縁部嵌合溝４に対応するガラス下縁部嵌合溝６が連通形成され、前記左右側枠１０，１１にはガラス側縁部嵌合溝８，９が形成され、複数のガラス板１２の上下縁部１２ａ，１２ｂが前記ガラス上縁部嵌合溝４と前記ガラス下縁部嵌合溝６とに夫々嵌合され、両端部のガラス板１２の左右側縁部１２ｃ，１２ｄが前記左右側枠１０，１１のガラス側縁部嵌合溝８，９に嵌合され、これによって手摺本体３の室外側長手方向略全域に連続して複数のガラス板１２がガラス取付枠１４に取り付けられるようになっているため、手摺本体３の室外面である見付は、手摺本体３の長手方向略全域にかけて連続して設けられたガラス板１２で覆われているため、外観上の体裁が非常に良く、又該ガラス板１２によって室内側への風雨の進入を防ぐことができ、風雨の時でも室内を開放しておくことができる。
【００１２】
また、上述のようにガラス板１２をその周囲端縁をガラス取付枠１４に嵌合方式で取り付けるようになっているため、所謂倹鈍方式で室内側からガラス板１２をガラス取付枠１４に取り付けることができ、ガラス板１２を手摺本体３の室外側に取り付けるための足場等が不要であるから、それだけ施工費が安価になる。
【００１３】
また、互いに隣合う複数のガラス板１２間にアルミ製目地枠１３が配設されるようになっているため、従来のゴム系の目地材を充填するのに比較してアルミ特有の見栄を発揮することができ、手摺本体３の見付面の体裁がこの面からも良好である。
【００１４】
さらには、アルミ製目地枠１３は、ガラス板１２の側端縁１２ｃ，１２ｄを係合するようにして手摺本体３に取り付けられ、ガラス板１２の上下左右の四週端縁がガラス取付枠１４とアルミ製目地枠１３に係合保持されるようになっているため、ガラス板の上下端縁のみが上下枠に係合保持され、隣合うガラス板間には従来のゴム系の目地材を充填するのに比較して、ガラス板１２のガラス取付枠１４に対する取付強度が高く、風圧に対する耐久性が良好であり、翻っていえば、ガラス板１２の肉厚が薄いものであっても風圧に耐え、ガラス板１２を安定してガラス取付枠１４に取り付けることができる。
【００１５】
特に、本発明にあっては、アルミ製目地枠１３を手摺本体３の長手方向の一方側から摺動させることによって手摺支柱１の側壁１ａに当接するビス止め片１３ａを室内側から手摺支柱１の側壁１ａにビス止めし、これによって該ガラス板１２の側縁部１２ｃを先のアルミ製目地枠１３に係合保持させるようにしたため、ビス止めという簡単な構成ながら、アルミ製目地枠１３は、手摺本体３に強力に固定されて、室外側からの強い風圧を受けるもアルミ製目地枠１３と手摺本体３との間に不測にガタツキが発生したり、アルミ製目地枠１３が手摺本体３の取付面から変移してアルミ製目地枠１３とこれに係合保持されているガラス板１２との係合保持状態が破壊されるというようなことはなく、ガラス板１２がアルミ製目地枠１３から外れるということは全くない。
【００１６】
請求項２にあっては、請求項１に述べた効果を期待することができると共に、手摺本体３に設けたガラス取付枠１４にガラス板１２を室内側から倹鈍式で嵌合して取り付けることができるから、ガラス板を手摺本体の室外側に取り付けるための足場を組む必要がなく、それだけ施工費が安価になる。
【００１７】
また、複数のガラス板１２の互いに隣り合うガラス板１２間に取り付けられる目地材としてアルミ製目地枠１３を用い、このアルミ製目地枠１３を、手摺支柱１に設けた係止爪１５にアルミ製目地枠１３に設けた被係止爪１６を手摺本体３の長手方向の一方側から摺動させて、手摺本体３に係止するようにしているから、アルミ製目地枠１３も室内側から容易に取り付けることができ、足場等が不要であるから、この面でも安価に施工することができる。この点で、従来にあっては、ゴム系のシール材からなる目地材は、各ガラス板の目地部に室外側から充填ないし塗布作業を必要とし、その作業のための足場を必要としていた。
【００１８】
特に、本発明にあっては、アルミ製目地枠１３の室内側側面に手摺支柱１の側壁１ａ側に沿うビス止め片１３ａを突設し、アルミ製目地枠１３を上下枠５，７間を一方側から摺動させて、その被係止爪１６を係止爪１５に係止させることによってアルミ製目地枠１３を手摺支柱１に係止させ、且つ手摺本体３の長手方向の一方側から摺動させることによって手摺支柱１の側壁１ａに当接するビス止め片１３ａを室内側から手摺支柱１の側壁１ａにビス止めし、これによって該ガラス板１２の側縁部１２ｃを先のアルミ製目地枠１３に係合保持させるようにしたため、ビス止めという簡単な構成ながら、アルミ製目地枠１３側の被係止爪１６は手摺支柱１側の係止爪１５に強力に係止され、アルミ製目地枠１３に手摺本体３に強固に固定されて、室外側からの強い風圧を受けるもアルミ製目地枠１３と手摺本体３との間に不測にガタツキが発生したり、アルミ製目地枠１３が手摺本体３の取付面から変移してアルミ製目地枠１３とこれに係合保持されているガラス板１２との係合保持状態が破壊されるというようなことはなく、ガラス板１２がアルミ製目地枠１３から外れるということは全くない。
【００１９】
又、本発明にあっては、アルミ製目地枠１３を手摺本体３の長手方向の一方側から摺動させることによって、上述のようにアルミ製目地枠１３に設けた被係止爪１６が手摺支柱１に設けた係止爪１５に係止するのに並行して、アルミ製目地枠１３に突設したビス止め片１３ａが手摺支柱１の側壁１ａに当接するようにしたから、アルミ製目地枠１３の摺動操作が従来と何ら変わらず複雑になることはない。そして、手摺支柱１の側壁１ａに当接するビス止め片１３ａを室内側から手摺支柱１の側壁１ａにビス止めするようにしたから、ビス止め操作が容易で、且つ足場等が不要であるから、この面でも安価に施工することができる。
【００２０】
ところで、倹鈍式でガラス板１２の上下縁部１２ａ，１２ｂをガラス取付枠１４のガラス上下縁部嵌合溝４、６に嵌合してから、これを一方側に摺動させて、最初のガラス板１２の先端側側縁１２ｃをガラス側縁部嵌合溝８に嵌合し、続いて順次複数のガラス板１２を、その上下縁部１２ａ，１２ｂをガラス上下縁部嵌合溝４、６に嵌合するようにして、ガラス取付枠１４に嵌合して複数のガラス板１２が連続して上下枠５，７のガラス上縁部１２ａ及び下縁部１２ｂをガラス嵌合溝４，６に嵌合してガラス取付枠１４に取り付けることができても、最後のガラス板１２を、その上下縁部１２ａ，１２ｂをガラス上下縁部嵌合溝４、６に嵌合しようとすれば、そのままでは、ガラス板１２の後端側側縁１２ｄがガラス取付枠１４の側枠１１に衝突して嵌合することができないことになる。
【００２１】
そこで、請求項３にあっては、ガラス側縁部嵌合溝８，９を形成する左右側枠１０，１１のうち、最後のガラス板１２の後端側側縁１２ｄが嵌合するガラス側縁部嵌合溝９を形成する側枠１１を、固定側枠部材１７と該固定側枠部材１７から一方側に後退移動するともに該固定側枠部材１７に重合するよう進入移動可能な可動側枠部材１８とによって形成し、該可動側枠部材１８を該固定側枠部材１７から一方側に後退移動することによってガラス側縁部嵌合溝９の室外側が開放され、この開放状態で最後のガラス板１２を同様に室内側から倹鈍式で上下枠５，７間に嵌め入れ、しかる後に該可動側枠部材１８を該固定側枠部材１７に重合するよう進入移動することによって、ガラス側縁部嵌合溝９の室外側が閉塞され、該嵌合溝９にガラス板１２の側縁部１２ｄを側枠１１に衝突することなく嵌合することができ、その後に、可動側枠部材１８を固定側枠部材１７に室内側からビス止めすることによって、全てのガラス板１２をガラス取付枠１４に倹鈍方式によって室内側から支障なく容易に嵌合することができる。
【００２２】
又、請求項４にあっては、最後のガラス板１２の後端側側縁１２ｄが嵌合するガラス側縁部嵌合溝９を形成する側枠１１を、固定側枠部材１７と該固定側枠部材１７から取り外し可能に一方側に後退移動するともに該固定側枠部材１７に重合するよう進入移動可能な可動側枠部材１８とによって形成してなるため、最後のガラス板１２を同様に室内側から倹鈍式で上下枠５，７間に嵌め入れる際に、可動側枠部材１８は固定側枠部材１７から取り外されているため、可動側枠部材１８に衝突することなく円滑にガラス板１２を倹鈍式で上下枠５，７間に嵌め入れることができる。
【００２３】
請求項５にあっては、ガラス取付枠１４及びアルミ製目地枠１３には、ガラス板１２の室外側周縁部を水密保持する水密パッキン１９，２０が取り付けられる共に、ガラス板１２の室内側周縁部を水密シールするためのコーキング材２１，２２が充填ないし塗布されるようになっているため、雨水がガラス取付枠１４やアルミ製目地枠１３とガラス板１２との間から室内側に侵入することがない。
【図面の簡単な説明】
【００２４】
【図１】本発明に係る手摺の取付装置の外観正面図である。
【図２】同縦断側面図である。
【図３】(a) は、本発明に係る手摺の取付方法における最初の工程を示す横断平面図である。（ｂ）は、同縦断側面図である。
【図４】(a) は、同次の工程を示す横断平面図である。（ｂ）は、同縦断側面図である。
【図５】(a) は、同更に次の工程を示す横断平面図である。（ｂ）は、同縦断側面図である。
【図６】(a) は、同更に次の工程を示す横断平面図である。（ｂ）は、同縦断側面図である。
【図７】更に次の工程を示す横断平面図である。
【図８】更に次の工程を示す横断平面図である。
【図９】更に次の工程を示す横断平面図である。
【図１０】更に次の工程を示す横断平面図である。
【図１１】更に次の工程を示す横断平面図である。
【図１２】更に次の工程を示す横断平面図である。
【図１３】更に次の工程を示す横断平面図である。
【図１４】最後の工程を示す横断平面図である。
【図１５】本発明の一要部を示す縦断側面図である。
【図１６】（ａ）は、本発明の他の要部を示す横断平面図である。（ｂ）は、同要部の施工順序を示す横断平面図である。
【図１７】（ａ）は、本発明の更に他の要部を示す横断平面図である。（ｂ）は、同要部の施工順序を示す横断平面図である。
【図１８】（ａ）は、本発明の更に他の要部を示す横断平面図である。（ｂ）は、同要部の施工順序を示す横断平面図である。
【発明を実施するための形態】
【００２５】
以下に本発明の好適な一実施形態を図面に基づいて説明すると、先ず、本発明に係る手摺の取付装置の概略及び各要部を説明するのに適した図面は、図１、図２、図１４〜図１６である。従って、これらの図面に基づいて、本発明の実施形態の概略と要部を説明するものとする。
【００２６】
図１及び図２に示すように、ベランダのパラペットＰに手摺支柱１がパラペットＰの長手方向適当間隔に立設され、各支柱１の上端部にはその立設間隔全域にわたって手摺笠木２が取り付けられ、手摺本体３が形成されている。具体的には、手摺支柱１の横断面は、図１６、その他の略全図面に表れているように、中空角筒状となっており、内壁４隅にビスホール２３が形成されている。そして、図２に示すように、手摺支柱１の上端面に笠木受け２４がビス２５をビスホール２３に螺合することによって固着され、該笠木受け２４の室内外両端部に形成された被係嵌部２４ａ，２４ａに手摺笠木２の両端部の係嵌部２ａ，２ａが係嵌することによって手摺笠木２が手摺支柱１に取り付けられる。
【００２７】
手摺支柱１の室外側にあって、手摺笠木２の室外寄りに下向きコ字状の上枠５が前記笠木受け２４に一体形成され、該上枠５の内部は、下方が開口したガラス上縁部嵌合溝４を手摺本体３の長手方向略全域にかけて連通して形成する。
【００２８】
又手摺支柱１の室外側にあって、その下部には上向きコ字状の下枠７が一体的に取り付けられ、該下枠７の内部は、前記ガラス上縁部嵌合溝４に対応するガラス下縁部嵌合溝６が手摺本体３の長手方向略全域にかけて連通して形成する。
【００２９】
下枠７を手摺支柱１に取り付ける詳細構造は図１５に示される。即ち、下枠７は、その室内寄りにビス止め枠２６（図２以下の図面参照）が一体形成され、該ビス止め枠２６は、手摺支柱１の室外面に当接して横方向に取り付けられるが、この際、手摺支柱１の室外面に一体形成される係止爪１５のうち、ビス止め枠２６の当接部分の係止爪１５を切欠部ａとして示すように切欠し、且つビス止め枠２６側にあっても、係止爪１５の切欠された手摺支柱１の室外面にビス止め枠２６のビス取付片２６ａが直接に当接するよう鎖線で切欠部ｂとして示すように手摺支柱１の当接部分のビス止め枠２６を切欠し、この状態でビス２７を下枠７に設けたビス挿通孔２７ａより手摺支柱１に螺合するが、この螺合位置は、図１５に示すように、手摺支柱１の内部のビスホール２３の壁２３ａを貫通するように螺合されることが強度上から好ましい。なお、７ａはパッキン係嵌用側片である。
【００３０】
上下枠５，７間にはその長手方向両端部に左右側枠１０，１１が取り付けられるが、これも図１７又は図１８に示すように、側枠１０，１１に一体形成されているビスホール２８に上下枠５，７からビス（図示せず）を螺合することによって取り付けられる。なお、図１７又は図１８に示すように、少なくとも一方側の側枠１１は、上述のように上下枠５，７にビス２８によって固定的に取り付けられる固定側枠部材１７と該固定側枠部材１７に対して進退移動する可動側枠部材１８とからなるが、その詳細説明については後述する。
【００３１】
図１及び図１４に示すように、複数のガラス板１２が上下枠５，７間に取り付けられると共に、隣合うガラス板１２の目地部にはアルミ製目地枠１３が取り付けられる。
【００３２】
このアルミ製目地枠１３の詳細構造は、図１６に示される。即ち、アルミ製目地枠１３は一対の略Ｌ字状の被係止爪１６を形成した基部片２９と、ガラス板１２の側縁部１２ｄの端縁１２ｅが対向する連結件３０と、該連結片３０を介して基部片２９と一体形成される目地見付片３１と、一対の被係止爪１６のうち手摺支柱１の側壁１ａ側に近似する被係止爪１６に該側壁１ａの外面に沿うように対向して突設される略Ｌ字状のビス止め片１３ａとからなり、目地見付片３１の内側に水密パッキン２０が取り付けられる。目地見付片３１の幅は例えば１２ｍｍ程度である。そして手摺支柱１の室外面にもＬ状が上記左右反対向きの一対のＬ状の係止爪１５が一体形成され、アルミ製目地枠１３を一方側からガラス板１２の側縁部１２ｄの端縁１２ｅに連結片３０が近接するまで摺動させることによって、アルミ製目地枠１３の被係止爪１６は手摺支柱１の係止爪１５に係止され、且つアルミ製目地枠１３を手摺本体３の長手方向の一方側から摺動させることによって、図１６の（ｂ）に示すようにアルミ製目地枠１３に突設したビス止め片１３ａが手摺支柱１の側壁１ａに当接し、その状態でビス３５をビス止め片１３ａに設けたビス孔３６から手摺支柱１の側壁１ａに設けたビス孔３７に、室内側から図示しないドライバーを用いてねじ込むことによって、ビス止め片１３ａを手摺支柱１の側壁１ａにビス止めされるようになっている。なおビス止めの他の実施形態として、ビス止め片１３ａ及び手摺支柱１の側壁１ａの両者にビス孔を設けることなく、周知のインパクトドライバーを用いて両者にわたって強制的に周知のテクスねじ（ドリルねじ）をねじ込みビス止めするようにしてもよい。
【００３３】
アルミ製目地枠１３を手摺支柱１に係止させ、且つビス止め片１３ａを手摺支柱１にビス止めすることによって、ガラス板１２の側縁部１２ｄは水密パッキン１９を介してアルミ製目地枠１３、正確にはその目地見付片３１と基部片２９との間で挟持されて係合保持されることになる。このように互いに隣接するガラス板１２，１２間の目地部もアルミ製目地枠１３で係合保持されることになるから、従来のゴム系シール材からなる目地材に比べて、ガラス板１２を強固にガラス取付枠１４に取り付けることができる。
【００３４】
本発明は、手摺本体３の室外側に複数のガラス板１２を手摺本体３の長手方向に連続して取り付けることによって手摺本体３の見付面の体裁を良好にすることを目的とするものであり，この際、手摺本体３は、高層マンション等のベランダのパラペットＰに立設されるため、その室外側に複数のガラス板１２を取り付けるためには足場を必要とするが、本発明にあっては、足場を組み立てることなくベランダ側から複数のガラス板１２を連続して容易に取り付けることができるようにしたガラス板１２の取付方法に特徴を有する。
【００３５】
この取付方法を、図３〜図１４によって順次説明すると、先ず図３の（ａ）に示すように、室内側から最初のガラス板１２を先端側の手摺支柱１と先端側のガラス側枠１０との間に持ち来し、図３の（ｂ）に示すように、ガラス板１２の上縁部１２ａを上枠５のガラス上縁部嵌合溝４に嵌合し、その状態でガラス板１２の下縁部１２ｂを下枠７のガラス下縁部嵌合溝６に嵌合するという所謂倹鈍方式によって、室内側からの操作によってガラス板１２を上下両枠５，７間に嵌め入れる。なお、図３（ａ）及び（ｂ）に示すように、上下両枠５，７の側片５ａ，７ａには、ガラス板１２を嵌め入れる前に予め水密パッキン１９を取着しておく。また下枠７にはガラス板１２の下端面が当接するスペーサー３２も予め取り付けておく。
【００３６】
そして次に、図４の（ａ）及び（ｂ）に示すように、ガラス板１２を図中右側の側枠１０まで移動させ、ガラス右側縁部１２ｃをガラス側縁部嵌合溝８に嵌合する。
【００３７】
そして次に、図５の（ａ）に示すように、アルミ製目地枠１３を上下両枠５，７間に嵌め入れ、矢印で示すように、該アルミ製目地枠１３をガラス板１２の側縁部１２ｄの端縁１２ｅとの間に若干の隙間を有して摺動させて、該アルミ製目地枠１３の被係止爪１６を手摺支柱１の係止爪１５に係止させ、且つビス止め片１３ａを手摺支柱１にビス３５によって止着する。この状態から、図５の（ｂ）に矢印で示すように、ガラス板１２を室外側に押し付けて水密パッキン１９，２０に当接させ、ガラス板１２の室内側周縁にバックアップ材３３を当て付ける。
【００３８】
そして次に、図６の（ａ）及び（ｂ）に示すように、シリコン系やポリウレタン系のシール材であるコーキング材２１，２２をガラス板１２の室内側周縁に充填ないし塗布する。なお、このコーキング作業は、図１４に示すように、複数のガラス板１２を取り付けた最終工程時に行うようにしてもよい。
【００３９】
そして次に、図７に示すように、次のガラス板１２を、互いに隣り合う手摺支柱１，１間にわたって配置して、前述のように室内側から倹鈍式でガラス板１２の上下縁部１２ａ，１２ｂを上下枠５，７の各ガラス上下縁部嵌合溝４，６に嵌め入れ、次に図８に矢印で示すように、ガラス板１２を、その側縁部１２ｃが、先に手摺支柱１に取り付けてあるアルミ製目地枠１３の連結片３０に近接するまで移動させ、更に図９に示すように、次のアルミ製目地枠１３を、次の手摺支柱１に、上述のようにして上下両枠５，７間に配置して、矢印で示すように、その連結片３０がガラス板１２の側縁部１２ｄの端縁に近接するまで移動させて、該アルミ製目地枠１３を手摺支柱１に前述の係止手段１５，１６によって係止させ、且つ同時にビス止め片１３ａを手摺支柱１に３５によって止着し、ビス止めし、次に図１０に示すように、ガラス板１２を矢印で示すように室外側に押し当て、バックアップ材３３とコーキング材２１，２２をガラス板１２の室内側周縁に当接充填させる。
【００４０】
そして図１１以下の図面に示すように、最後のガラス板１２を、前述のように室内側から倹鈍方式で上下枠５，７のガラス上下縁部嵌合溝４，６に嵌合し、且つガラス板１２の図中左側縁部１２ｄを側枠１１のガラス側縁部嵌合溝９に嵌合するわけであるが、図１１の図中右側の側枠１０を見れば分かるように、ガラス板１２を倹鈍式でガラス上下縁部嵌合溝４，６に嵌合する際に、ガラス板１２の側縁部１２ｄが側枠１１の室外面に衝突して嵌合することができない。
【００４１】
そのために、図１７に示すように、少なくとも最後のガラス板１２を嵌め入れる側の側枠１１は、前述のように、固定側枠部材１７と該固定側枠部材１７から一方側に後退移動するともに該固定側枠部材１７に重合するよう進入移動可能な可動側枠部材１８との２部材によって形成し、該可動側枠部材１８を該固定側枠部材１７から一方側に後退移動することによってガラス側縁部嵌合溝９の室外側が開放され、この開放状態で最後のガラス板１２を倹鈍式で上下枠５，７間に嵌め入れ、しかる後に該可動側枠部材１８を該固定側枠部材１７に重合するよう進入移動することによって、ガラス側縁部嵌合溝９の室外側が閉塞され、該嵌合溝９にガラス板１２の側縁部１２ｄが嵌合状態となり、この嵌合状態で可動側枠部材１８を固定側枠部材１７にビス孔１７ａ，１８ａにビス３４を螺合しビス止めするようにして係止させることによって、側枠１２のガラス側縁部嵌合溝９にガラス板１２の側縁部１２ｄを側枠１０に衝突することなく嵌合することができ、全てのガラス板１２をガラス取付枠１４に倹鈍方式によって室内側から支障なく嵌合することができる。
【００４２】
なお、図１７に示す実施形態にあっては、可動側枠部材１８は固定側枠部材１７から一方側に後退移動するだけで、固定側枠部材１７から取り外すようにはなっていないが、図１８に示す実施形態に示すように、可動側枠部材１８は固定側枠部材１７から一方側に後退移動すると共に固定側枠部材１７から取り外すようになっているか、可動側枠部材１８は別途完全に取り外した状態で用意しておき、最後のガラス板１２を倹鈍式で上下枠５，７間に嵌め入れ、しかる後に該可動側枠部材１８を該固定側枠部材１７に重合するよう進入移動するようにしてもよい。
【００４３】
即ち、図１１及び図１７の（ａ）又は図１８の（ａ）に示すように、側枠１１の可動側枠部材１８を固定側枠部材１７から後退移動させるか、固定側枠部材１７から取り外し、ガラス側縁部嵌合溝９の室外側を開放し、この状態で最後のガラス板１２を上下枠５，７間に嵌め入れ、しかる後に図１３及び図１４並びに図１７の（ｂ）又は図８の（ｂ）に矢印で示すように、可動側枠部材１８を固定側枠部材１７に重合するよう侵入移動させて、ガラス板１２の側縁部１２ｄを側枠１１のガラス側縁部嵌合溝９に嵌合し、図１３に示すようにビス３４を螺合することによって可動側枠部材１８を固定側枠部材１７に固定すると共に、ガラス板１２を室外側に押し付けてバックアップ材３３を当接させ、図１４に示すようにコーキング材２１，２２をガラス板１２の室内側周縁に充填ないし塗布することによって、複数のガラス板１２を手摺本体３の長手方向に連続して室内側から取り付ける施工作業が完了するのである。
【００４４】
なお、本発明の実施形態にあっては、図示のように左右側枠１０，１１は、ともに固定側枠部材１７と可動側枠部材１８との２部材からなっているが、先端部側の側枠１０は一部材からなるものによって形成してもよいことは勿論である。
【符号の説明】
【００４５】
Ｐ          パラペット
１          手摺支柱
２          手摺笠木
３          手摺本体
４          ガラス上縁部嵌合溝
５          ガラス用上枠
６          ガラス下縁部嵌合溝
７          ガラス用下枠
８          ガラス側縁部嵌合溝８
９          ガラス側縁部嵌合溝９
１０        ガラス用右側枠
１１        ガラス用左側枠
１２        ガラス板
１２ａ      ガラス板１２の上縁部
１２ｂ      ガラス板１２の下縁部
１２ｃ      ガラス板１２の右側縁部
１２ｄ      ガラス板１２の左側縁部
１３        アルミ製目地枠
１３ａ      ビス止め片
１４        ガラス取付枠
１５        係止爪
１６        被係止爪
１７        固定側枠部材
１８        可動側枠部材
１９        水密パッキン
２０        水密パッキン
２１        コーキング材
２２        コーキング材
【図１】
2020105717.tif 000003
【図２】
2020105717.tif 000004
【図３】
2020105717.tif 000005
【図４】
2020105717.tif 000006
【図５】
2020105717.tif 000007
【図６】
2020105717.tif 000008
【図７】
2020105717.tif 000009
【図８】
2020105717.tif 000010
【図９】
2020105717.tif 000011
【図１０】
2020105717.tif 000012
【図１１】
2020105717.tif 000013
【図１２】
2020105717.tif 000014
【図１３】
2020105717.tif 000015
【図１４】
2020105717.tif 000016
【図１５】
2020105717.tif 000017
【図１６】
2020105717.tif 000018
【図１７】
2020105717.tif 000019
【図１８】
2020105717.tif 000020